(57)【要約】【課題】所定の画像を動画または静止画として表示することができ、各種情報を伝える伝達媒体として利用することができるロールスクリーンを提供する。【解決手段】ロールスクリーン１０Ａは、スクリーン１４の一方の面と他方の面とのうちの少なくとも一面に設置された所定面積のＬＥＤディスプレイ１６を備えている。ＬＥＤディスプレイ１６は、可撓性を有して一方の面がスクリーン１４の一面に配置された所定面積のフレキシブル基板２２と、フレキシブル基板２２の他方の面に設置されて所定パターンの画素を構成する複数のＬＥＤ素子２３とから形成されている。ロールスクリーン１０Ａでは、ＬＥＤディスプレイ１６のそれらＬＥＤ素子２３を利用し、スクリーン１４の一方の面と他方の面とのうちの少なくとも一面に所定の画像を動画または静止画として表示する。【選択図】図１
2018168611.tif 000002
【特許請求の範囲】
【請求項１】
ローラーパイプから所定面積のスクリーンを縦方向または横方向へ繰り出すとともに、前記ローラーパイプに前記スクリーンを巻き取るロールスクリーンにおいて、
前記ロールスクリーンが、前記スクリーンの一方の面と他方の面とのうちの少なくとも一面に設置された所定面積のＬＥＤディスプレイを備え、前記ＬＥＤディスプレイが、可撓性を有して一方の面が前記スクリーンの一面に配置された所定面積のフレキシブル基板と、前記フレキシブル基板の他方の面に設置されて所定パターンの画素を構成する複数のＬＥＤ素子とから形成され、
前記ロールスクリーンでは、ＬＥＤディスプレイのそれらＬＥＤ素子を利用し、前記スクリーンの一方の面と他方の面とのうちの少なくとも一面に所定の画像を動画または静止画として表示することを特徴とするロールスクリーン。
【請求項２】
前記ロールスクリーンでは、前記ローラーパイプから繰り出したスクリーンに位置するＬＥＤディスプレイのみに動画または静止画が表示される請求項１に記載のロールスクリーン。
【請求項３】
前記ロールスクリーンでは、前記ローラーパイプから繰り出したスクリーンの全長に対する繰り出し割合が事前に設定された設定繰り出し割合まで繰り出された時点で前記ＬＥＤディスプレイに動画または静止画が表示される請求項２に記載のロールスクリーン。
【請求項４】
前記ロールスクリーンでは、前記ローラーパイプから繰り出されたスクリーンが該ローラーパイプに巻き取られた場合、巻き取られたスクリーンに位置するＬＥＤディスプレイの動画または静止画の表示が停止する請求項１ないし請求項３いずれかに記載のロールスクリーン。
【請求項５】
複数の前記ＬＥＤディスプレイが、縦方向または横方向へ並んだ状態で前記スクリーンの一面に設置されている請求項１ないし請求項４いずれかに記載のロールスクリーン。
【請求項６】
１つまたは複数の前記ＬＥＤディスプレイが、前記スクリーンの一面に部分的に設置されている請求項１ないし請求項４いずれかに記載のロールスクリーン。
【請求項７】
前記スクリーンが、前後方向前方に位置する第１スクリーンと、前後方向後方に位置する第２スクリーンとから形成され、前記ＬＥＤディスプレイが、前記第１スクリーンの一方の面と他方の面とのうちの少なくとも一面に設置され、前記第２スクリーンの一方の面と他方の面とのうちの少なくとも一面に設置されている請求項１ないし請求項６いずれかに記載のロールスクリーン。
【発明の詳細な説明】
【技術分野】
【０００１】
本発明は、繰り出し可能および巻き取り可能なスクリーンを有するロールスクリーンに関する。
【背景技術】
【０００２】
建造物の所定の箇所に取り付けられる各種複数のロールスクリーンが製造・販売されている。ロールスクリーンは、繰り出し可能および巻き取り可能なスクリーンを有し、スクリーンの繰り出し巻き取り方式としてプルコード式やチェーン式、電動式がある。プルコード式は、プルコードを引き下げることでローラーパイプからスクリーンを繰り出し、プルコードを一度引き下げることでロックが外れ、スクリーンがローラーパイプに自動的に巻き取られる。チェーン式は、環状のチェーンを回すことによってローラーパイプからスクリーンを繰り出し、または、スクリーンをローラーパイプに巻き取る。電動式は、モーターの回転によってスクリーンを繰り出しまたは巻き取る。ロールスクリーンは、窓に設置されて採光の調節に利用される場合が多いが、その他に、室内の装飾に利用される場合、室内の間仕切りとして利用される場合がある。なお、ロールスクリーンに関する発明が多数出願されている（たとえば、特許文献１，２参照）。
【先行技術文献】
【特許文献】
【０００３】
【特許文献１】特開２０１６−２１１３６１号公報
【特許文献２】特開２０１６−２０５０１１号公報
【発明の概要】
【発明が解決しようとする課題】
【０００４】
ロールスクリーンは、既述の用途に利用されるが、スクリーンにおいて所定の画像を表示することはなく、ロールスクリーンを利用して各種複数の情報を伝えることはできず、ロールスクリーンを各種情報を伝える伝達媒体として利用することができない。また、動画または静止画によってロールスクリーンを装飾することはできず、ロールスクリーンを設置した箇所を飾る装飾品やイルミネーションとして利用することができない。
【０００５】
本発明の目的は、所定の画像を動画または静止画として表示することができるとともに、動画または静止画を見せることができ、各種情報を伝える伝達媒体として利用することができるロールスクリーンを提供することにある。本発明の他の目的は、動画または静止画によってロールスクリーンを装飾することはでき、設置した箇所を飾る装飾品やイルミネーションとして利用することができるロールスクリーンを提供することにある。
【課題を解決するための手段】
【０００６】
前記課題を解決するための本発明の前提は、ローラーパイプから所定面積のスクリーンを縦方向または横方向へ繰り出すとともに、ローラーパイプにスクリーンを巻き取るロールスクリーンである。
【０００７】
前記前提における本発明のロールスクリーンの特徴は、ロールスクリーンが、スクリーンの一方の面と他方の面とのうちの少なくとも一面に設置された所定面積のＬＥＤディスプレイを備え、ＬＥＤディスプレイが、可撓性を有して一方の面がスクリーンの一面に配置された所定面積のフレキシブル基板と、フレキシブル基板の他方の面に設置されて所定パターンの画素を構成する複数のＬＥＤ素子とから形成され、ロールスクリーンでは、ＬＥＤディスプレイのそれらＬＥＤ素子を利用し、スクリーンの一方の面と他方の面とのうちの少なくとも一面に所定の画像を動画または静止画として表示することにある。
【０００８】
本発明のロールスクリーンの一例として、ロールスクリーンでは、ローラーパイプから繰り出したスクリーンに位置するＬＥＤディスプレイのみに動画または静止画が表示される。
【０００９】
本発明のロールスクリーンの他の一例として、ロールスクリーンでは、ローラーパイプから繰り出したスクリーンの全長に対する繰り出し割合が事前に設定された設定繰り出し割合まで繰り出された時点でＬＥＤディスプレイに動画または静止画が表示される。
【００１０】
本発明のロールスクリーンの他の一例として、ロールスクリーンでは、ローラーパイプから繰り出されたスクリーンがローラーパイプに巻き取られた場合、巻き取られたスクリーンに位置するＬＥＤディスプレイの動画または静止画の表示が停止する。
【００１１】
本発明のロールスクリーンの他の一例としては、複数のＬＥＤディスプレイが縦方向または横方向へ並んだ状態でスクリーンの一面に設置されている。
【００１２】
本発明のロールスクリーンの他の一例としては、１つまたは複数のＬＥＤディスプレイがスクリーンの一面に部分的に設置されている。
【００１３】
本発明のロールスクリーンの他の一例としては、スクリーンが前後方向前方に位置する第１スクリーンと前後方向後方に位置する第２スクリーンとから形成され、ＬＥＤディスプレイが第１スクリーンの一方の面と他方の面とのうちの少なくとも一面に設置され、第２スクリーンの一方の面と他方の面とのうちの少なくとも一面に設置されている。
【発明の効果】
【００１４】
本発明に係るロールスクリーンによれば、スクリーンの一方の面と他方の面とのうちの少なくとも一面に設置された所定面積のＬＥＤディスプレイを備え、そのＬＥＤディスプレイのＬＥＤ素子を利用してスクリーンの一方の面と他方の面とのうちの少なくとも一面に所定の画像を動画または静止画として表示するから、ロールスクリーンを任意の場所に設置した状態で所定の画像を動画または静止画としてその片面または両面に表示することができ、任意の場所に設置したロールスクリーンを利用して所定の動画または静止画を見せることができる。ロールスクリーンは、所定の画像を動画または静止画としてスクリーンの一方の面と他方の面とのうちの少なくとも一面に表示することで、ロールスクリーンを利用して各種情報を伝えることができ、ロールスクリーンを各種情報の伝達媒体として利用することができる。ロールスクリーンは、スクリーンの一方の面と他方の面とのうちの少なくとも一面に各種の異なる動画または静止画を表示することで、その動画または静止画によってロールスクリーンを装飾することができ、ロールスクリーンを設置した箇所を飾る装飾品やイルミネーションとして利用することができる。ロールスクリーンは、ＬＥＤディスプレイがスクリーンの一方の面と他方の面とに設置された場合、ロールスクリーンの両面に動画または静止画を表示することができるのみならず、ロールスクリーンの一方の面と他方の面とにおいて異なる内容の各種の動画または各種の静止画を表示することができ、任意の場所に設置したロールスクリーンを利用して異なる内容の各種の動画または各種の静止画を見せることができる。
【００１５】
ローラーパイプから繰り出したスクリーンに位置するＬＥＤディスプレイのみに動画または静止画が表示されるロールスクリーンは、ローラーパイプに巻き取られたスクリーンにおいてＬＥＤディスプレイに表示された動画または静止画を視認することはできないから、ローラーパイプから繰り出したスクリーンに位置するＬＥＤディスプレイのみに動画または静止画を表示することで、動画や静止画の表示無駄を省くことができ、ＬＥＤディスプレイにおいて消費される電力の省エネを図ることができるとともに、繰り出されたスクリーンにおいて動画または静止画を表示することで、繰り出されたスクリーンにおいて動画または静止画を見せることができる。
【００１６】
ローラーパイプから繰り出したスクリーンの全長に対する繰り出し割合が事前に設定された設定繰り出し割合まで繰り出された時点でＬＥＤディスプレイに動画または静止画が表示されるロールスクリーンは、スクリーンがローラーパイプからわずかに繰り出された状態でＬＥＤディスプレイに動画または静止画を表示したとしても、その動画または静止画を明確に視認することができないが、ＬＥＤディスプレイに表示された動画または静止画を明確に視認することが可能な程度である設定繰り出し割合までスクリーンが繰り出された時点でＬＥＤディスプレイに動画または静止画を表示することで、動画または静止画をスクリーンにおいて確実に視認可能にした状態でその動画または静止画をスクリーンの一面に表示することができ、視認可能な動画または静止画をスクリーンにおいて見せることができる。ロールスクリーンは、スクリーンの繰り出し割合が設定繰り出し割合に達しない場合、スクリーンに動画または静止画が表示されないから、動画や静止画の表示無駄を省くことができ、ＬＥＤディスプレイにおいて消費される電力の省エネを図ることができる。
【００１７】
ローラーパイプから繰り出されたスクリーンがローラーパイプに巻き取られた場合、巻き取られたスクリーンに位置するＬＥＤディスプレイの動画または静止画の表示が停止するロールスクリーンは、ローラーパイプに巻き取られたスクリーンにおいてＬＥＤディスプレイに表示された動画または静止画を視認することはできないから、スクリーンがローラーパイプから繰り出された状態からローラーパイプに巻き取られた場合、巻き取られたスクリーンにおける動画または静止画の表示が停止することで、動画や静止画の表示無駄を省くことができ、ＬＥＤディスプレイにおいて消費される電力の省エネを図ることができるとともに、繰り出し中のスクリーンにおいて動画または静止画を表示することで、繰り出し中のスクリーンにおいて動画または静止画を見せることができる。
【００１８】
複数のＬＥＤディスプレイが縦方向または横方向へ並んだ状態でスクリーンの一面に設置されているロールスクリーンは、縦方向または横方向へ並ぶ複数のＬＥＤディスプレイにおいて異なる内容の各種の動画または各種の静止画を表示することができ、スクリーンの一方の面と他方の面とのうちの少なくとも一面において異なる内容の各種の動画または各種の静止画を表示することができ、ロールスクリーンを各種複数の情報の伝達媒体として利用することができる。ロールスクリーンは、スクリーンの一方の面と他方の面とのうちの少なくとも一面に設置された複数のＬＥＤディスプレイにおいて各種の異なる動画または静止画を表示することで、それら動画またはそれら静止画によってロールスクリーンを装飾することができ、ロールスクリーンを設置した箇所を飾る装飾品やイルミネーションとして利用することができる。
【００１９】
１つまたは複数のＬＥＤディスプレイがスクリーンの一面に部分的に設置されているロールスクリーンは、ＬＥＤディスプレイがスクリーンの一面の所定の箇所に部分的に設置されることで、動画または静止画をスクリーンの一面の所定の箇所に表示することができ、スクリーンの所定の箇所において各種情報を伝えることができるとともに、ロールスクリーンの所定の箇所を各種情報の伝達媒体として利用することができる。ロールスクリーンは、スクリーンに表示された動画または静止画によってロールスクリーンを部分的に装飾することができ、ロールスクリーンを設置した箇所を飾る装飾品やイルミネーションとして利用することができる。ロールスクリーンは、複数のＬＥＤディスプレイがスクリーンの一面に部分的に設置されている場合、それらＬＥＤディスプレイにおいて異なる内容の各種の動画または各種の静止画を表示することができ、ロールスクリーンを各種情報の伝達媒体として利用することができるとともに、スクリーンに部分的に設置されたそれらＬＥＤディスプレイに表示された各種の動画または各種の静止画によってロールスクリーンを部分的に装飾することができる。
【００２０】
スクリーンが前後方向前方に位置する第１スクリーンと前後方向後方に位置する第２スクリーンとから形成され、ＬＥＤディスプレイが第１スクリーンの一方の面と他方の面とのうちの少なくとも一面に設置され、第２スクリーンの一方の面と他方の面とのうちの少なくとも一面に設置されているロールスクリーンは、ＬＥＤディスプレイのＬＥＤ素子を利用して第１および第２スクリーンの一方の面と他方の面とのうちの少なくとも一面に所定の画像を動画または静止画として表示するから、ロールスクリーンを任意の場所に設置した状態で所定の画像を動画または静止画として第１および第２スクリーンの片面または両面に表示することができ、任意の場所に設置したロールスクリーンを利用して所定の動画または静止画を見せることができる。ロールスクリーンは、所定の画像を動画または静止画として第１および第２スクリーンの一方の面と他方の面とのうちの少なくとも一面に表示することで、ロールスクリーンを利用して各種情報を伝えることができ、ロールスクリーンを各種情報の伝達媒体として利用することができる。ロールスクリーンは、第１および第２スクリーンの一方の面と他方の面とのうちの少なくとも一面に各種の異なる動画または静止画を表示することで、その動画または静止画によってロールスクリーンを装飾することができ、ロールスクリーンを設置した箇所を飾る装飾品やイルミネーションとして利用することができる。ロールスクリーンは、ＬＥＤディスプレイが第１および第２スクリーンの一方の面と他方の面とに設置された場合、ロールスクリーンの第１および第２スクリーンの両面に動画または静止画を表示することができるのみならず、ロールスクリーンの第１および第２スクリーンの一方の面と他方の面とにおいて異なる内容の各種の動画または各種の静止画を表示することができ、任意の場所に設置したロールスクリーンを利用して異なる内容の各種の動画または各種の静止画を見せることができる。
【図面の簡単な説明】
【００２１】
【図１】スクリーンを縦方向へ繰り出した状態の一例として示すロールスクリーンの斜視図。
【図２】スクリーンを縦方向へ繰り出した状態の他の一例として示すロールスクリーンの斜視図
【図３】図１のロールスクリーンのスクリーンの部分拡大端面図。
【図４】他の一例として示すロールスクリーンの斜視図。
【図５】図４のロールスクリーンのスクリーンの部分拡大端面図。
【図６】他の一例として示すロールスクリーンの斜視図。
【図７】図６のロールスクリーンのスクリーンの部分拡大端面図。
【図８】他の一例として示すロールスクリーンの斜視図。
【図９】ロールスクリーンの側面図。
【図１０】図９のロールスクリーンの第１および第２スクリーンの部分拡大端面図。
【発明を実施するための形態】
【００２２】
スクリーン１４を縦方向へ繰り出した状態の一例として示すロールスクリーン１０Ａの斜視図である図１等の添付の図面を参照し、本発明に係るロールスクリーンの詳細を説明すると、以下のとおりである。なお、図２は、スクリーン１４を縦方向へ繰り出した状態の他の一例として示すロールスクリーン１０Ａの斜視図であり、図３は、ロールスクリーン１０Ａのスクリーン１４の部分拡大端面図（部分拡大切断面図）である。図１は、スクリーン１４をその全長に対して５０％（半分）繰り出した状態で示す。図２は、スクリーン１４を１００％（全部）繰り出した状態で示す。図１では、縦方向を矢印Ａで示し、横方向を矢印Ｂで示す。
【００２３】
図１に示すロールスクリーン１０Ａは、取付ブラケット１１およびサイドブラケット１３を備えた設置ユニット１３と、設置ユニット１３の内部に回転可能に取り付けられたローラーパイプ（巻き取りパイプ）（図示せず）と、設置ユニット１３の内部に設置されてローラーパイプを回転させるモーター（図示せず）と、設置ユニット１３の内部に収容された制御部（図示せず）と、ローラーパイプに繰り出し可能および巻き取り可能に設置されたスクリーン１４と、スクリーン１４の下端部に取り付けられたウエイトバー１５（アルミバー）とから形成されている。ロールスクリーン１０Ａは、スクリーン１４に取り付けられた高輝度ＬＥＤディスプレイ１６（自発光型ディスプレイ）を有する。ロールスクリーン１０Ａの設置ユニット１３の内部には、ＬＥＤディスプレイを制御するコントローラ（図示せず）が収容され、繰り出し検知センサ（図示せず）が収容されている。
【００２４】
ロールスクリーン１０Ａ（ロールスクリーン１０Ｂ，１０Ｃを含む）には、スクリーン１４を遠隔操作する無線式スクリーンリモコン（図示せず）が附属している。ロールスクリーン１０Ａ（ロールスクリーン１０Ｂ〜１０Ｄを含む）は、ＬＥＤディスプレイ１６を遠隔操作する無線式ディスプレイリモコン（図示せず）を備えている。なお、設置ユニット１３にアンテナ（図示せず）が取り付けられ、設置ユニット１３からはロールスクリーン１０ＡやＬＥＤディスプレイ１６に電力を供給する電源コード１７（電源ハーネス）が延びている。アンテナは、無線式スクリーンリモコンから所定の信号を受信し、受信した信号を制御部に送信（転送）するとともに、無線式ディスプレイリモコンから所定の信号を受信し、受信した信号をコントローラに送信（転送）する。繰り出し検知センサは、コントローラに接続され、スクリーン１４の縦方向下方への繰り出しを検知し、繰り出しを検知したスクリーン１４の繰り出し信号と繰り出し割合信号（または繰り出し長さ信号）とをコントローラに送信（転送）する。
【００２５】
スクリーン１４の繰り出し信号は、ローラーパイプから繰り出されたスクリーン１４の繰り出し部分１８とローラーパイプに巻き取られたスクリーン１４の巻き取り部分１９とを特定する信号である。繰り出し割合信号は、スクリーン１４の全長に対するローラーパイプから繰り出されたスクリーン１４の繰り出し部分１８が占める割合を示す信号である。繰り出し長さ信号は、ローラーパイプから繰り出されたスクリーン１４の繰り出し部分１８の長さを示す信号である。
【００２６】
ロールスクリーン１０Ａ（ロールスクリーン１０Ｂ〜１０Ｄを含む）は、取付ブラケット１１およびサイドブラケット１２を利用して建造物の所定の箇所（窓や壁、間仕切り箇所等）に正面付けまたは天井付けされる。ロールスクリーン１０Ａは、採光の調節に利用される場合、室内の装飾に利用される場合、室内の間仕切りとして利用される場合がある。スクリーン１４は、所定面積を有して縦方向へ長い長方形のシートであり、一方の面２０と他方の面２１とを有する。スクリーン１４は、布地や可撓性を有する合成樹脂シートから作られている。スクリーン１４の縦横方向の長さ寸法や面積について特に限定はなく、縦横方向の長さ寸法や面積を自由に設定することができる。
【００２７】
無線式スクリーンリモコンのオープンボタン（下降ボタン）を押すと、オープン信号が設置ユニット１３の制御部に送信され、制御部がモーターを時計回り方向と反時計回り方向との一方へ回転させ、それによってローラーパイプが回転し、スクリーン１４が所定の昇降速度でローラーパイプから繰り出される。無線式スクリーンリモコンのクローズボタン（上昇ボタン）を押すと、クローズ信号が設置ユニット１３の制御部に送信され、制御部がモーターを時計回り方向と反時計回り方向との他方へ回転させ、それによってローラーパイプが回転し、スクリーン１４が所定の昇降速度でローラーパイプに巻き取られる。なお、無線式スクリーンリモコンのストップボタン（停止ボタン）を押すことで、繰り出し中や巻き取り中のスクリーン１４の繰り出しや巻き取りを所定の位置で停止させることができる。
【００２８】
高輝度ＬＥＤディスプレイ１６は、所定面積のフレキシブル基板２２と、フレキシブル基板２２に設置（マウント）された複数のＬＥＤ素子２３（ＬＥＤチップ）と、電子制御モジュール（図示せず）とから形成されている。フレキシブル基板２２は、熱可塑性合成樹脂から作られた可撓性を有する所定面積のシート（プラスチックシート）であり、スクリーン１４と略同形同大に成形され、一方の面２４と他方の面２５とを有する。フレキシブル基板２２は、その厚み寸法が０．２〜１ｍｍの範囲にある。フレキシブル基板２２は、所定の曲率半径で円弧状に湾曲させることができるとともに、所定の角度で曲折する（折り曲げる）ことができる。
【００２９】
フレキシブル基板２２は、その一方の面２４が所定の接合手段（接着剤や接着テープ、縫製等）（図示せず）によってスクリーン１４の他方の面２１（一面）に固定（接合）されている。フレキシブル基板２２がスクリーン１４の一面（他方の面）に接合されることで、ＬＥＤディスプレイ１６がロールスクリーン１０Ａの一面に固定されている。フレキシブル基板２２は、それが可撓性を有することから、可撓性を有するスクリーン１４の形状変化にあわせて形状が変化し、スクリーン１４とともにローラーパイプに巻き取ることができ、スクリーン１４とともにローラーパイプから繰り出すことができる。なお、フレキシブル基板２２（ＬＥＤディスプレイ１６）がスクリーン１４の一方の面２０（一面）に固定（接合）されていてもよく、フレキシブル基板２２（ＬＥＤディスプレイ１６）がスクリーン１４の一方の面２０（一面）と他方の面２１（一面）とに固定（接合）されていてもよい。
【００３０】
それらＬＥＤ素子２３は、フレキシブル基板２２の他方の面２５において縦方向へ等間隔離間して整然と並んでいるとともに、横方向へ等間隔離間して整然と並んでいる。それらＬＥＤ素子２３は、縦横方向へ並んだ状態でフレキシブル基板２２の他方の面２５に設置・固定されている。それらＬＥＤ素子２３は、フレキシブル基板２２の他方の面２５（スクリーン１４の他方の面２１）に所定パターンの画素を構成している。スクリーン１４に位置するそれらＬＥＤ素子２３は、それらが電気的に接続されているとともに、電子制御モジュールに電気的に接続されている。フレキシブル基板２２の単位面積に対するＬＥＤ素子２３の密度に特に制限はなく、フレキシブル基板２２の可撓性が失われない程度に基板２２の単位面積に対するＬＥＤ素子２３の密度を自由に設定することができる。
【００３１】
フレキシブル基板２２の他方の面２５には、フレキシブル基板２２（スクリーン１４）と略同形同大の透明な紫外線遮蔽保護フィルム２６が取り付けられている。紫外線遮蔽保護フィルム２６は、熱可塑性合成樹脂から作られた可撓性を有する透明なフィルム（プラスチックフィルム）であり、所定の接合手段（接着剤や粘着テープ、縫製等）（図示せず）によってフレキシブル基板２２の他方の面２５に貼着されている。紫外線遮蔽保護フィルム２６は、フレキシブル基板２２の他方の面２５に配置されたそれらＬＥＤ素子２３を包被（被覆）している。紫外線遮蔽保護フィルム２６は、紫外線を遮蔽し、紫外線のそれらＬＥＤ素子２３への到達を阻止するとともに、それらＬＥＤ素子２３と外物との接触を防ぎ、それらＬＥＤ素子２３を損傷から保護する。
【００３２】
電子制御モジュールは、ロールスクリーン１０Ａの設置ユニット１３の内部に収容されている。電子制御モジュールは、ロールスクリーン１０Ａのコントローラに接続され、それらＬＥＤ素子２３を制御する。電子制御モジュールは、それらＬＥＤ素子２３の発光色を調整しつつ発光色を時系列に変化させ、それらＬＥＤ素子２３の輝度を調整しつつ輝度を時系列に変化させる。ＬＥＤディスプレイ１６では、光の３原色（Ｒ・Ｇ・Ｂ）に発光するそれらＬＥＤ素子２３がフレキシブル基板２２にマウントされることで、それらＬＥＤ素子２３に各種複数の色彩（可視光）を表示（発光）させることができ、フルカラー動画（白黒を含む）またはフルカラー静止画（白黒を含む）を連続的または間欠的に表示することができる。
【００３３】
コントローラは、中央処理部（ＣＰＵまたはＭＰＵ）とメモリ（メインメモリおよびキャッシュメモリ）とを有して独立したオペレーティングシステム（ＯＳ）によって動作するコンピュータであり、大容量記憶デバイス（大容量ハードディスク等）を内蔵している。コントローラの記憶デバイスには、あらかじめ作成された各種複数の画像が格納（記憶）されているとともに、画像を表示可能と認識（判断）するスクリーン１４の設定繰り出し割合（または設定繰り出し長さ）が格納（記憶）されている。
【００３４】
無線式ディスプレイリモコンによってＬＥＤディスプレイ１６（スクリーン１４）に表示する画像を選択することができる。たとえば、無線式ディスプレイリモコンのタッチパネルまたはディスプレイに複数の画像が表示され、それら画像から所定の画像を選択する。無線式ディスプレイリモコンによってスクリーン１４の設定繰り出し割合（または設定繰り出し長さ）を自由に設定することができる。たとえば、設定繰り出し割合を４０％や５０％、７０％等に設定し、または、設定繰り出し長さを１ｍや１．５ｍ、２．１ｍ等に設定する。ロールスクリーン１０Ａでは、設定繰り出し割合が５０％に設定され、または、設定繰り出し長さがスクリーン１４の全長（たとえば３ｍ）の半分（たとえば１．５ｍ）に設定されたものとする。
【００３５】
なお、コントローラは、それにテレビ受像器やビデオモニター、チューナー、ビデオカメラ、ビデオレコーダー、光学メディア等の各種複数の映像機器を接続し、それら映像機器から各種複数の映像や音声を取り込み、取り込んだ映像や音声からＬＥＤディスプレイ１６（スクリーン１４）に表示する画像（動画または静止画）（音声を含む）を作成し、作成した画像を記憶デバイスに格納（記憶）する。また、コントローラを外部コンピュータに接続し、外部コンピュータによって作られた各種複数の画像をコントローラに送信（転送）することで、それら画像がコントローラの記憶デバイスに格納（記憶）される。
【００３６】
ロールスクリーン１０Ａのスクリーン１４に所定の画像を表示するには、無線式ディスプレイリモコンの画像ＯＮ／ＯＦＦスイッチをＯＮにする。画像ＯＮ／ＯＦＦスイッチをＯＮにすると、各種複数の画像を表示した画像選択画面がタッチパネルまたはディスプレイに表示される。画像選択画面に表示された画像からＬＥＤディスプレイ１６に表示する画像を選択し、画像表示ボタンをタップ（クリック）する。画像表示ボタンをタップ（クリック）すると、画像表示ＯＫメッセージがタッチパネルまたはディスプレイに表示される。次に、スクリーン１４の全てがローラーパイプに巻き取られた状態から、無線式スクリーンリモコンのオープンボタンを押す。オープンボタンを押すと、モーターが起動し、ローラーパイプが回転してスクリーン１４が所定の昇降速度でローラーパイプから縦方向下方へ繰り出される（下降する）。
【００３７】
スクリーン１４の繰り出しと同時に、繰り出し検知センサがスクリーン１４の縦方向下方への繰り出しを検知し、スクリーン１４の繰り出し信号と繰り出し割合信号（または繰り出し長さ信号）とを繰り出し検知センサがコントローラに送信（転送）する。コントローラは、繰り出し検知センサから送信された繰り出し信号によってローラーパイプから繰り出されたスクリーン１４の繰り出し部分１８とローラーパイプに巻き取られたスクリーン１４の巻き取り部分１９とを特定しつつ、スクリーン１４の繰り出し割合（または繰り出し長さ）が設定繰り出し割合（または設定繰り出し長さ）を超えたかを判断する。繰り出し検知センサから送信された繰り出し割合信号（または繰り出し長さ信号）が５０％未満（または１．５ｍ未満）である場合、コントローラは、スクリーン１４が繰り出し不足（巻き取られた状態）であると認識（判断）し、画像表示の準備が完了していたとしても、電子制御モジュールに画像非表示信号を送信し、ＬＥＤディスプレイ１６に画像が表示されない。
【００３８】
ローラーパイプからのスクリーン１４の繰り出しが開始されてから図１の状態になり、繰り出し検知センサから送信された繰り出し信号を受信しつつ、繰り出し検知センサから送信された繰り出し割合信号（または繰り出し長さ信号）が設定繰り出し割合５０％（または設定繰り出し長さ１．５ｍ）を超えた場合、コントローラは、繰り出し検知センサから送信された繰り出し信号によってローラーパイプから繰り出されたスクリーン１４の繰り出し部分１８とローラーパイプに巻き取られたスクリーン１４の巻き取り部分１９とを特定するとともに、スクリーン１４が繰り出し十分（繰り出した状態）であると認識（判断）する。
【００３９】
コントローラは、スクリーン１４の繰り出し部分１８と巻き取り部分１９とを特定しつつスクリーン１４の繰り出しを十分と判断した場合、記憶デバイスに格納された画像（選択された画像）およびスクリーン１４の繰り出し部分１８に対する画像表示信号を電子制御モジュールに送信する。コントローラから画像およびスクリーン１４の繰り出し部分１８に対する画像表示信号を受信した電子制御モジュールは、それらＬＥＤ素子２３の発光色を調整しつつそれらＬＥＤ素子２３の輝度を調整し、コントローラから送信された画像（フルカラーの動画またはフルカラーの静止画）（音声は、スピーカーから出力される）をスクリーン１４の繰り出し部分１８に位置するＬＥＤディスプレイ１６に表示する。
【００４０】
ロールスクリーン１０Ａでは、ローラーパイプから繰り出されたスクリーン１４の繰り出し部分１８に位置するＬＥＤディスプレイ１６のみに動画または静止画が表示され、ローラーパイプに巻き取られたスクリーン１４の巻き取り部分１９に位置するＬＥＤディスプレイ１６に動画または静止画を表示しない。図１の状態から図２の状態にスクリーン１４を繰り出す過程において、ローラーパイプから繰り出されたスクリーン１４の繰り出し部分１８に位置するＬＥＤディスプレイ１６に順に画像が表示され、図２の状態においてスクリーン１４の全体に画像が表示される。
【００４１】
ロールスクリーン１０Ａは、ローラーパイプに巻き取られたスクリーン１４においてＬＥＤディスプレイ１６に表示された動画または静止画を視認することはできないから、ローラーパイプから繰り出されたスクリーン１４の繰り出し部分１８に位置するＬＥＤディスプレイ１６のみに動画または静止画を表示することで、動画や静止画の表示無駄を省くことができ、ＬＥＤディスプレイ１６において消費される電力の省エネを図ることができるとともに、繰り出されたスクリーン１４の繰り出し部分１８において動画または静止画を表示することで、繰り出されたスクリーン１４において動画または静止画を見せることができる。
【００４２】
ＬＥＤディスプレイ１６がスクリーン１４の一方の面２０と他方の面２１とに設置された場合、ロールスクリーン１０Ａの両面に動画または静止画が表示される。この場合、スクリーン１４（ロールスクリーン１０Ａ）の一方の面２０と他方の面２１とにおいて同一内容の各種の動画または各種の静止画が表示され、または、スクリーン１４（ロールスクリーン１０Ａ）の一方の面２０と他方の面２１とにおいて異なる内容の各種の動画または各種の静止画が表示される。なお、設定繰り出し割合が７０％等に設定（または設定繰り出し長さが２．１ｍに設定）されている場合、繰り出し検知センサから送信された繰り出し割合信号（または繰り出し長さ信号）が７０％（または２．１ｍ）を超えた時点で、コントローラから送信された画像（フルカラーの動画またはフルカラーの静止画）がスクリーン１４の繰り出し部分１８に位置するＬＥＤディスプレイ１６に表示される。
【００４３】
ロールスクリーン１０Ａは、スクリーン１４がローラーパイプからわずかに繰り出された状態でＬＥＤディスプレイ１６に動画または静止画を表示したとしても、その動画または静止画を明確に視認することができないが、ＬＥＤディスプレイ１６に表示された動画または静止画を明確に視認することが可能な程度である設定繰り出し割合（または設定繰り出し長さ）までスクリーン１４が繰り出された時点でＬＥＤディスプレイ１６に動画または静止画を表示することで、動画または静止画をスクリーン１４において確実に視認可能にした状態でその動画または静止画をスクリーン１４の一面に表示することができ、視認可能な動画または静止画をスクリーン１４において見せることができる。ロールスクリーン１０Ａは、スクリーン１４の繰り出し割合（または繰り出し長さ）が設定繰り出し割合（または設定繰り出し長さ）に達しない場合、スクリーン１４に動画または静止画が表示されないから、動画や静止画の表示無駄を省くことができ、ＬＥＤディスプレイ１６において消費される電力の省エネを図ることができる。
【００４４】
図１や図２の状態において、無線式ディスプレイリモコンの画像ＯＮ／ＯＦＦスイッチをＯＦＦにすることで、ＬＥＤディスプレイ１６に表示された画像が非表示になる。ＯＦＦにした無線式ディスプレイリモコンの画像ＯＮ／ＯＦＦスイッチを再びＯＮにすることで、ＬＥＤディスプレイ１６に画像が表示される。図２の状態では、画像表示信号がコントローラから電子制御モジュールに継続して送信され、ＬＥＤディスプレイ１６（スクリーン１４）における画像表示が継続する。
【００４５】
図２のスクリーン１４が全て繰り出された状態からスクリーン１４をローラーパイプ巻き取るには、無線式スクリーンリモコンのクローズボタンを押す。クローズボタンを押すと、モーターが起動し、ローラーパイプが回転してスクリーン１４が所定の昇降速度でローラーパイプに巻き取られ、スクリーン１４が縦方向上方へ移動する（上昇する）。スクリーン１４のローラーパイプへの巻き取りが開始されると、繰り出し検知センサがスクリーン１４の縦方向上方への巻き取りを検知し、巻き取りを検知したスクリーン１４の繰り出し信号と繰り出し割合信号（または繰り出し長さ信号）とを繰り出し検知センサがコントローラに送信（転送）する。
【００４６】
コントローラは、繰り出し検知センサから送信された繰り出し信号によってローラーパイプから繰り出されているスクリーン１４の繰り出し部分１８とローラーパイプに巻き取られたスクリーン１４の巻き取り部分１９とを特定しつつ、スクリーン１４の繰り出し割合（または繰り出し長さ）が設定繰り出し割合（または設定繰り出し長さ）を超えているかを判断する。繰り出し検知センサから送信された繰り出し割合信号（または繰り出し長さ信号）が５０％以上（または１．５ｍ以上）である場合、コントローラは、繰り出し検知センサから送信された繰り出し信号によってローラーパイプから繰り出されているスクリーン１４の繰り出し部分１８とローラーパイプに巻き取られたスクリーン１４の巻き取り部分１９とを特定するとともに、スクリーン１４が繰り出し十分（繰り出した状態）であると認識（判断）する。
【００４７】
コントローラは、スクリーン１４の繰り出し部分１８と巻き取り部分１９とを特定しつつスクリーン１４の繰り出しを十分と判断した場合、スクリーン１４の繰り出し部分１８に対する画像表示信号を電子制御モジュールに継続して送信するとともに、ローラーパイプに巻き取られたスクリーン１４の巻き取り部分１９に対する画像非表示信号を電子制御モジュールに送信する。電子制御モジュールは、スクリーン１４の繰り出し部分１８に位置するＬＥＤディスプレイ１６に対する画像の表示を継続し、スクリーン１４の巻き取り部分１９に位置するＬＥＤディスプレイ１６の画像を非表示にする。ロールスクリーン１０Ａでは、ローラーパイプから繰り出されているスクリーン１４がローラーパイプに巻き取られた場合、巻き取られたスクリーン１４の巻き取り部分１９に位置するＬＥＤディスプレイ１６の動画または静止画の表示が停止する。
【００４８】
スクリーン１４のローラーパイプからの巻き取りが開始されてから図２の状態以上にスクリーン１４が巻き取られ、繰り出し検知センサから送信された繰り出し信号を受信しつつ、繰り出し検知センサから送信された繰り出し割合信号（または繰り出し長さ信号）が設定繰り出し割合５０％（または設定繰り出し長さ１．５ｍ）未満になった場合、コントローラは、スクリーン１４が繰り出し不足（巻き取られた状態）であると認識（判断）し、電子制御モジュールに画像非表示信号を送信する。電子制御モジュールは、スクリーン１４の繰り出し部分１８および巻き取り部分１９に位置するＬＥＤディスプレイ１６の画像を非表示にする。
【００４９】
ロールスクリーン１０Ａは、ローラーパイプに巻き取られたスクリーン１４においてＬＥＤディスプレイ１６に表示された動画または静止画を視認することはできないから、スクリーン１４がローラーパイプから繰り出された状態からローラーパイプに巻き取られた場合、巻き取られたスクリーン１４における動画または静止画の表示を停止させることで、動画や静止画の表示無駄を省くことができ、ＬＥＤディスプレイ１６において消費される電力の省エネを図ることができるとともに、繰り出し中のスクリーン１４において動画または静止画を表示することで、繰り出し中のスクリーン１４において動画または静止画を見せることができる。
【００５０】
ロールスクリーン１０Ａは、スクリーン１４の一方の面２０と他方の面２１とのうちの少なくとも一面に設置された所定面積のＬＥＤディスプレイ１６のＬＥＤ素子２３を利用し、スクリーン１４の一方の面２０と他方の面２１とのうちの少なくとも一面に所定の画像を動画または静止画として表示するから、ロールスクリーン１０Ａを任意の場所に設置した状態で所定の画像を動画または静止画としてその片面または両面に表示することができ、任意の場所に設置したロールスクリーン１０Ａを利用して所定の動画または静止画を見せることができる。ＬＥＤディスプレイ１６がスクリーン１４の一方の面２０と他方の面２１とに設置された場合、ロールスクリーン１０Ａの両面に動画または静止画を表示することができるのみならず、ロールスクリーン１０Ａの一方の面２０と他方の面２１とにおいて異なる内容の各種の動画または各種の静止画を表示することができ、任意の場所に設置したロールスクリーン１０Ａを利用して異なる内容の各種の動画または各種の静止画を見せることができる。
【００５１】
ロールスクリーン１０Ａは、所定の画像を動画または静止画としてスクリーン１４の一方の面２０と他方の面２１とのうちの少なくとも一面に表示することで、ロールスクリーン１０Ａを利用して各種情報を伝えることができ、ロールスクリーン１０Ａを各種情報の伝達媒体として利用することができる。ロールスクリーン１０Ａは、スクリーン１４の一方の面２０と他方の面２１とのうちの少なくとも一面に各種の異なる動画または静止画を表示することで、その動画または静止画によってロールスクリーン１０Ａを装飾することができ、ロールスクリーン１０Ａを設置した箇所を飾る装飾品やイルミネーションとして利用することができる。
【００５２】
図４は、他の一例として示すロールスクリーン１０Ｂの斜視図であり、図５は、ロールスクリーン１０Ｂのスクリーン１４の部分拡大端面図（部分拡大切断面図）である。図４は、スクリーン１４を１００％（全部）繰り出した状態で示す。図４では、縦方向を矢印Ａで示し、横方向を矢印Ｂで示す。図４のロールスクリーン１０Ｂが図１のそれと異なるところは、複数の第１〜第３ＬＥＤディスプレイ１６ａ〜１６ｃ（第１〜第ｎＬＥＤディスプレイ）が縦方向へ並んだ状態でスクリーン１４の一面に設置されている点にあり、その他の構成は図１のロールスクリーン１０Ａのそれらと同一であるから、図１と同一の符号を付すとともに、図１の説明を援用することで、このロールスクリーン１０Ｂのその他の構成の詳細な説明は省略する。
【００５３】
ロールスクリーン１０Ｂは、取付ブラケット１１およびサイドブラケット１２を備えた設置ユニット１３と、設置ユニット１３の内部に回転可能に取り付けられたローラーパイプ（図示せず）と、設置ユニットの内部に設置されてローラーパイプを回転させるモーター（図示せず）と、設置ユニットの内部に収容された制御部（図示せず）と、ローラーパイプに繰り出し可能および巻き取り可能に設置されたスクリーン１４と、スクリーン１４の下端部に取り付けられたウエイトバー１５（アルミバー）とから形成されている。ロールスクリーン１０Ｂは、スクリーン１４に取り付けられた複数の高輝度第１〜第３ＬＥＤディスプレイ１６ａ〜１６ｃ（自発光型ディスプレイ）を有する。ロールスクリーン１０Ｂの設置ユニット１３の内部には、それらＬＥＤディスプレイ１６ａ〜１６ｃを制御するコントローラ（図示せず）が収容され、繰り出し検知センサ（図示せず）が収容されている。
【００５４】
スクリーン１４やコントローラ、繰り出し検知センサは、図１のロールスクリーン１０Ａのそれらと同一である。コントローラの記憶デバイスには、あらかじめ作成された各種複数の画像が格納（記憶）されているとともに、画像を表示可能と認識（判断）するスクリーン１４の設定繰り出し割合（または設定繰り出し長さ）が格納（記憶）されている。高輝度第１〜第３ＬＥＤディスプレイ１６ａ〜１６ｃは、所定面積のフレキシブル基板２２と、フレキシブル基板２２に設置（マウント）された複数のＬＥＤ素子２３（ＬＥＤチップ）と、電子制御モジュール（図示せず）とから形成されている。フレキシブル基板２２の他方の面２５には、フレキシブル基板２２（スクリーン）と略同形同大の透明な紫外線遮蔽保護フィルム２６が取り付けられている。フレキシブル基板２２やＬＥＤ素子２３、電子制御モジュール、紫外線遮蔽保護フィルム２６は、図１のロールスクリーン１０Ａのそれらと同一である。
【００５５】
ロールスクリーン１０Ｂでは、第１〜第３ＬＥＤディスプレイ１６ａ〜１６ｃ（第１〜第ｎＬＥＤディスプレイ）が縦方向へ並んだ状態でスクリーン１４の一面に設置されている。第１ＬＥＤディスプレイ１６ａがスクリーン１４の最上に位置し、第２ＬＥＤディスプレイ１６ｂがスクリーン１４の中間に位置するとともに、第３ＬＥＤディスプレイ１６ｃがスクリーン１４下に位置している。フレキシブル基板２２（第１〜第３ＬＥＤディスプレイ１６ａ〜１６ｃ）は、その一方の面２４が所定の接合手段（接着剤や接着テープ、縫製等）（図示せず）によってスクリーン１４の他方の面２１（一面）に固定（接合）されている。
【００５６】
ロールスクリーン１０Ｂでは、フレキシブル基板２２（第１〜第３ＬＥＤディスプレイ１６ａ〜１６ｃ）がスクリーン１４の一方の面２０（一面）に固定（接合）されていてもよく、フレキシブル基板２２（第１〜第３ＬＥＤディスプレイ１６ａ〜１６ｃ）がスクリーン１４の一方の面２０（一面）と他方の面２１（一面）とに固定（接合）されていてもよい。また、４つ以上の第１〜第ｎＬＥＤディスプレイが縦方向へ並んだ状態でスクリーン１４の一面に設置されていてもよく、第１〜第ｎＬＥＤディスプレイが横方向へ並んだ状態でスクリーン１４に設置されていてもよい。
【００５７】
ロールスクリーン１０Ｂのスクリーン１４に所定の画像を表示するには、無線式ディスプレイリモコンの画像ＯＮ／ＯＦＦスイッチをＯＮにする。画像ＯＮ／ＯＦＦスイッチをＯＮにすると、各種複数の画像を表示した画像選択画面がタッチパネルまたはディスプレイに表示される。無線式ディスプレイリモコンによって第１〜第３ＬＥＤディスプレイ１６ａ〜１６ｃに表示する画像を選択するには、無線式ディスプレイリモコンのタッチパネルまたはディスプレイに表示された各種複数の画像を選択しつつ、タッチパネルまたはディスプレイに表示されたスクリーン１４の画像（繰り出された状態のスクリーン１４の概念図）に表示された第１〜第３ＬＥＤディスプレイ１６ａ〜１６ｃの画像（第１〜第３ＬＥＤディスプレイ１６ａ〜１６ｃの概念図）に、選択した画像を嵌め込み（配置し）、画像表示ボタンをタップ（クリック）する。
【００５８】
画像表示ボタンをタップ（クリック）すると、画像表示ＯＫメッセージがタッチパネルまたはディスプレイに表示される。なお、第１〜第３ＬＥＤディスプレイ１６ａ〜１６ｃのうちの画像の嵌め込み（配置）を行わないＬＥＤディスプレイには画像は表示されない。次に、スクリーン１４の全てがローラーパイプに巻き取られた状態から、無線式スクリーンリモコンのオープンボタンを押す。オープンボタンを押すと、モーターが起動し、ローラーパイプが回転してスクリーン１４が所定の昇降速度でローラーパイプから縦方向下方へ繰り出される（下降する）。なお、ロールスクリーン１０Ｂでは、設定繰り出し割合が３０％に設定され、または、設定繰り出し長さがスクリーン１４の全長（たとえば３ｍ）の１／３の（たとえば１．０ｍ）に設定されたものとする。
【００５９】
コントローラは、繰り出し検知センサから送信された繰り出し信号によってローラーパイプから繰り出されたスクリーン１４の繰り出し部分１８とローラーパイプに巻き取られたスクリーン１４の巻き取り部分１９とを特定しつつ、スクリーン１４の繰り出し割合（または繰り出し長さ）が設定繰り出し割合（または設定繰り出し長さ）を超えたかを判断する。繰り出し検知センサから送信された繰り出し割合信号（または繰り出し長さ信号）が３０％未満（または１．０ｍ未満）である場合、コントローラは、スクリーン１４が繰り出し不足（巻き取られた状態）であると認識（判断）し、画像表示の準備が完了していたとしても、電子制御モジュールに画像非表示信号を送信し、第１〜第３ＬＥＤディスプレイ１６ａ〜１６ｃに画像が表示されない。
【００６０】
ローラーパイプからスクリーン１４が次第に繰り出され、繰り出し検知センサから送信された繰り出し割合信号（または繰り出し長さ信号）が設定繰り出し割合３０％（または設定繰り出し長さ１．０ｍ）を超えた場合、コントローラは、繰り出し検知センサから送信された繰り出し信号によってローラーパイプから繰り出されたスクリーン１４の繰り出し部分１８とローラーパイプに巻き取られたスクリーン１４の巻き取り部分１９とを特定するとともに、スクリーン１４が繰り出し十分（繰り出した状態）であると認識（判断）する。コントローラは、記憶デバイスに格納された画像（選択された画像）およびスクリーン１４の繰り出し部分１８に対する画像表示信号を電子制御モジュールに送信する。電子制御モジュールは、コントローラから送信された画像（フルカラーの動画またはフルカラーの静止画）（音声は、スピーカーから出力される）をスクリーン１４の繰り出し部分１８に位置する第３ＬＥＤディスプレイ１６ｃに表示する。
【００６１】
スクリーン１４を繰り出す過程において、ローラーパイプから繰り出されたスクリーン１４の繰り出し部分１８に位置する第１〜第３ＬＥＤディスプレイ１６ａ〜１６ｃに順に画像が表示され、図４の状態においてスクリーン１４の全体（第１〜第３ＬＥＤディスプレイ１６ａ〜１６ｃ）に画像が表示される。第１〜第３ＬＥＤディスプレイ１６ａ〜１６ｃがスクリーン１４の一方の面２０と他方の面２１とに設置された場合、ロールスクリーン１０Ｂの両面に動画または静止画が表示される。この場合、ロールスクリーン１０Ｂ（スクリーン１４）の一方の面と他方の面とにおいて同一内容の各種の動画または各種の静止画が表示され、または、ロールスクリーン１０Ｂ（スクリーン１４）の一方の面と他方の面とにおいて異なる内容の各種の動画または各種の静止画が表示される。なお、ロールスクリーン１０Ｂ（スクリーン１４）の一方の面と他方の面とのいずれか一面のみの第１〜第３ＬＥＤディスプレイ１６ａ〜１６ｃに画像を表示することもできる。
【００６２】
図４の状態において、無線式ディスプレイリモコンの画像ＯＮ／ＯＦＦスイッチをＯＦＦにすることで、第１〜第３ＬＥＤディスプレイ１６ａ〜１６ｃに表示された画像が非表示になる。ＯＦＦにした無線式ディスプレイリモコンの画像ＯＮ／ＯＦＦスイッチを再びＯＮにすることで、第１〜第３ＬＥＤディスプレイ１６ａ〜１６ｃに画像が表示される。図４の状態では、画像表示信号がコントローラから電子制御モジュールに継続して送信され、第１〜第３ＬＥＤディスプレイ１６ａ〜１６ｃにおける画像表示が継続する。
【００６３】
第１〜第３ＬＥＤディスプレイ１６ａ〜１６ｃ（第１〜第３ＬＥＤディスプレイ１６ａ〜１６ｃの概念図）を表示したディスプレイ選択画面をタッチパネルまたはディスプレイに表示させ、無線式ディスプレイリモコンによってディスプレイ選択画面から第１〜第３ＬＥＤディスプレイ１６ａ〜１６ｃのいずれかを選択し、画像非表示ボタンをタップ（クリック）することで、第１〜第３ＬＥＤディスプレイ１６ａ〜１６ｃに画像を表示中において、第１〜第３ＬＥＤディスプレイ１６ａ〜１６ｃのうちの選択したいずれかのＬＥＤディスプレイに表示されている画像を非表示にすることができる。なお、画像表示ボタンをタップ（クリック）することで、非表示にしたＬＥＤディスプレイに画像を表示することができる。
【００６４】
図４の状態からスクリーン１４をローラーパイプ巻き取るには、無線式スクリーンリモコンのクローズボタンを押す。クローズボタンを押すと、モーターが起動し、ローラーパイプが回転してスクリーン１４が所定の昇降速度でローラーパイプに巻き取られ、スクリーン１４が縦方向上方へ移動する（上昇する）。スクリーン１４のローラーパイプへの巻き取りが開始されると、スクリーン１４の繰り出し信号と繰り出し割合信号（または繰り出し長さ信号）とを繰り出し検知センサがコントローラに送信（転送）する。
【００６５】
コントローラは、繰り出し信号によってローラーパイプから繰り出されているスクリーン１４の繰り出し部分１８とローラーパイプに巻き取られたスクリーン１４の巻き取り部分１９とを特定しつつ、スクリーン１４の繰り出し割合（または繰り出し長さ）が設定繰り出し割合（または設定繰り出し長さ）を超えているかを判断する。繰り出し検知センサから送信された繰り出し割合信号（または繰り出し長さ信号）が３０％以上（または１．０ｍ以上）である場合、コントローラは、繰り出し信号によってローラーパイプから繰り出されているスクリーン１４の繰り出し部分１９とローラーパイプに巻き取られたスクリーン１４の巻き取り部分１９とを特定するとともに、スクリーン１４が繰り出し十分（繰り出した状態）であると認識（判断）する。
【００６６】
コントローラは、スクリーン１４の繰り出しを十分と判断した場合、スクリーン１４の繰り出し部分１８に対する画像表示信号を電子制御モジュールに継続して送信するとともに、ローラーパイプに巻き取られたスクリーン１４の巻き取り部分１９に対する画像非表示信号を電子制御モジュールに送信する。電子制御モジュールは、スクリーン１４の繰り出し部分１８に位置するＬＥＤディスプレイ１６に対する画像の表示を継続し、スクリーン１４の巻き取り部分１９に位置するＬＥＤディスプレイ１６の画像を非表示にする。ロールスクリーン１０Ｂでは、ローラーパイプから繰り出されているスクリーン１４がローラーパイプに巻き取られた場合、巻き取られたスクリーン１４の巻き取り部分１９に位置するＬＥＤディスプレイ１６の動画または静止画の表示が停止する。
【００６７】
繰り出し検知センサから送信された繰り出し割合信号（または繰り出し長さ信号）が設定繰り出し割合３０％（または設定繰り出し長さ１．０ｍ）未満になった場合、コントローラは、スクリーン１４が繰り出し不足（巻き取られた状態）であると認識（判断）し、電子制御モジュールに画像非表示信号を送信する。電子制御モジュールは、スクリーン１４の繰り出し部分１８および巻き取り部分１９に位置する第１〜第３ＬＥＤディスプレイ１６ａ〜１６ｃの画像を非表示にする。
【００６８】
ロールスクリーン１０Ｂは、図１のロールスクリーン１０Ａが有する効果に加え、以下の効果を有する。ロールスクリーン１０Ｂは、縦方向へ並ぶ複数の第１〜第３ＬＥＤディスプレイ１６ａ〜１６ｃ（第１〜第ｎＬＥＤディスプレイ）において異なる内容の各種の動画または各種の静止画を表示することができ、スクリーン１４の一方の面２０と他方の面２１とのうちの少なくとも一面において異なる内容の各種の動画または各種の静止画を表示することができ、ロールスクリーン１０Ｂを各種複数の情報の伝達媒体として利用することができる。ロールスクリーン１０Ｂは、スクリーン１４の一方の面２０と他方の面２１とのうちの少なくとも一面に設置された複数の第１〜第３ＬＥＤディスプレイ１６ａ〜１６ｃにおいて各種の異なる動画または静止画を表示することで、それら動画またはそれら静止画によってロールスクリーン１０Ｂを装飾することができ、ロールスクリーン１０Ｂを設置した箇所を飾る装飾品やイルミネーションとして利用することができる。
【００６９】
図６は、他の一例として示すロールスクリーン１０Ｃの斜視図であり、図７は、ロールスクリーン１０Ｃのスクリーン１４の部分拡大端面図（部分拡大切断面図）である。図６は、スクリーン１４を１００％（全部）繰り出した状態で示す。図６では、縦方向を矢印Ａで示し、横方向を矢印Ｂで示す。図６のロールスクリーン１０Ｃが図１のそれと異なるところは、複数の第１〜第５ＬＥＤディスプレイ１６ａ〜１６ｅ（第１〜第ｎＬＥＤディスプレイ）がスクリーン１４の一面に部分的に（スクリーン１４の一面の所定の箇所に分散して）設置されている点にあり、その他の構成は図１のロールスクリーン１０Ａのそれらと同一であるから、図１と同一の符号を付すとともに、図１の説明を援用することで、このロールスクリーン１０Ｃのその他の構成の詳細な説明は省略する。
【００７０】
ロールスクリーン１０Ｃは、取付ブラケット１１およびサイドブラケット１２を備えた設置ユニット１３と、設置ユニット１３の内部に回転可能に取り付けられたローラーパイプ（図示せず）と、設置ユニット１３の内部に設置されてローラーパイプを回転させるモーター（図示せず）と、設置ユニット１３の内部に収容された制御部（図示せず）と、ローラーパイプに繰り出し可能および巻き取り可能に設置されたスクリーン１４と、スクリーン１４の下端部に取り付けられたウエイトバー１５（アルミバー）とから形成されている。ロールスクリーン１０Ｃは、スクリーン１４に取り付けられた複数の高輝度第１〜第５ＬＥＤディスプレイ１６ａ〜１６ｅ（自発光型ディスプレイ）を有する。ロールスクリーン１０Ｃの設置ユニット１３の内部には、それらＬＥＤディスプレイ１６ａ〜１６ｅを制御するコントローラ（図示せず）が収容され、繰り出し検知センサ（図示せず）が収容されている。
【００７１】
スクリーン１４やコントローラ、繰り出し検知センサは、図１のロールスクリーン１０Ａのそれらと同一である。コントローラの記憶デバイスには、あらかじめ作成された各種複数の画像が格納（記憶）されているとともに、画像を表示可能と認識（判断）するスクリーン１４の設定繰り出し割合（または設定繰り出し長さ）が格納（記憶）されている。高輝度第１〜第５ＬＥＤディスプレイ１６ａ〜１６ｅは、所定面積のフレキシブル基板２２と、フレキシブル基板２２に設置（マウント）された複数のＬＥＤ素子２３（ＬＥＤチップ）と、電子制御モジュール（図示せず）とから形成されている。フレキシブル基板２２の他方の面２５には、フレキシブル基板２２（スクリーン１４）と略同形同大の透明な紫外線遮蔽保護フィルム２６が取り付けられている。フレキシブル基板２２やＬＥＤ素子２３、電子制御モジュール、紫外線遮蔽保護フィルム２６は、図１のロールスクリーン１０Ａのそれらと同一である。
【００７２】
ロールスクリーン１０Ｃでは、第１〜第５ＬＥＤディスプレイ１６ａ〜１６ｅ（第１〜第ｎＬＥＤディスプレイ）がスクリーン１４の一面の任意の箇所に分散して配置され、スクリーン１４の一面に部分的に設置されている。第１ＬＥＤディスプレイ１６ａがスクリーン１４の上部右側方に位置し、第２ＬＥＤディスプレイ１６ｂがスクリーン１４の上部左側方に位置し、第３ＬＥＤディスプレイ１６ｃがスクリーン１４の中央部に位置するとともに、第４ＬＥＤディスプレイ１６ｄがスクリーン１４の下部右側方に位置し、第５ＬＥＤディスプレイ１６ｅがスクリーン１４の下部左側方に位置している。スクリーン１４における第１〜第５ＬＥＤディスプレイ１６ａ〜１６ｅの配置（設置箇所）に特に制限はなく、第１〜第５ＬＥＤディスプレイ１６ａ〜１６ｅをスクリーン１４の任意の箇所に自由に配置することができる。フレキシブル基板２２（第１〜第５ＬＥＤディスプレイ１６ａ〜１６ｅ）は、その一方の面２４が所定の接合手段（接着剤や接着テープ、縫製等）（図示せず）によってスクリーン１４の他方の面２１（一面）に固定（接合）されている。
【００７３】
ロールスクリーン１０Ｃでは、フレキシブル基板２２（第１〜第５ＬＥＤディスプレイ１６ａ〜１６ｅ）がスクリーン１４の一方の面２０（一面）に固定（接合）されていてもよく、フレキシブル基板２２（第１〜第５ＬＥＤディスプレイ１６ａ〜１６ｅ）がスクリーン１４の一方の面２０（一面）と他方の面２１（一面）とに固定（接合）されていてもよい。なお、４つ以下の第１〜第ｎＬＥＤディスプレイがスクリーン１４の任意の箇所に分散して配置されていてもよく、６以上の第１〜第ｎＬＥＤディスプレイがスクリーン１４の任意の箇所に分散して配置されていてもよい。また、１つＬＥＤディスプレイがスクリーン１４の一面に部分的（スクリーン１４の任意の箇所）に設置されていてもよい。
【００７４】
ロールスクリーン１０Ｃのスクリーン１４に所定の画像を表示するには、無線式ディスプレイリモコンの画像ＯＮ／ＯＦＦスイッチをＯＮにする。画像ＯＮ／ＯＦＦスイッチをＯＮにすると、各種複数の画像を表示した画像選択画面がタッチパネルまたはディスプレイに表示される。無線式ディスプレイリモコンによって第１〜第５ＬＥＤディスプレイ１６ａ〜１６ｅに表示する画像を選択するには、無線式ディスプレイリモコンのタッチパネルまたはディスプレイに表示された各種複数の画像を選択しつつ、タッチパネルまたはディスプレイに表示されたスクリーン１４の画像（繰り出された状態のスクリーン１４の概念図）に表示された第１〜第５ＬＥＤディスプレイ１６ａ〜１６ｅの画像（第１〜第５ＬＥＤディスプレイ１６ａ〜１６ｅの概念図）に、選択した画像を嵌め込み（配置し）、画像表示ボタンをタップ（クリック）する。
【００７５】
画像表示ボタンをタップ（クリック）すると、画像表示ＯＫメッセージがタッチパネルまたはディスプレイに表示される。なお、第１〜第５ＬＥＤディスプレイ１６ａ〜１６ｅのうちの画像の嵌め込み（配置）を行わないＬＥＤディスプレイには画像は表示されない。次に、スクリーン１４の全てがローラーパイプに巻き取られた状態から、無線式スクリーンリモコンのオープンボタンを押す。オープンボタンを押すと、モーターが起動し、ローラーパイプが回転してスクリーン１４が所定の昇降速度でローラーパイプから縦方向下方へ繰り出される（下降する）。なお、ロールスクリーン１０Ｃでは、設定繰り出し割合が２５％に設定され、または、設定繰り出し長さがスクリーン１４の全長（たとえば４ｍ）の１／４の（たとえば１．０ｍ）に設定されたものとする。
【００７６】
コントローラは、繰り出し検知センサから送信された繰り出し信号によってローラーパイプから繰り出されたスクリーン１４の繰り出し部分１８とローラーパイプに巻き取られたスクリーン１４の巻き取り部分１９とを特定しつつ、スクリーン１４の繰り出し割合（または繰り出し長さ）が設定繰り出し割合（または設定繰り出し長さ）を超えたかを判断する。繰り出し検知センサから送信された繰り出し割合信号（または繰り出し長さ信号）が２５％未満（または１．０ｍ未満）である場合、コントローラは、スクリーン１４が繰り出し不足（巻き取られた状態）であると認識（判断）し、画像表示の準備が完了していたとしても、電子制御モジュールに画像非表示信号を送信し、第１〜第５ＬＥＤディスプレイ１６ａ〜１６ｅに画像が表示されない。
【００７７】
ローラーパイプからスクリーン１４が次第に繰り出され、繰り出し検知センサから送信された繰り出し割合信号（または繰り出し長さ信号）が設定繰り出し割合２５％（または設定繰り出し長さ１．０ｍ）を超えた場合、コントローラは、繰り出し検知センサから送信された繰り出し信号によってローラーパイプから繰り出されたスクリーン１４の繰り出し部分１８とローラーパイプに巻き取られたスクリーン１４の巻き取り部分１９とを特定するとともに、スクリーン１４が繰り出し十分（繰り出した状態）であると認識（判断）する。コントローラは、記憶デバイスに格納された画像（選択された画像）およびスクリーン１４の繰り出し部分１８に対する画像表示信号を電子制御モジュールに送信する。電子制御モジュールは、コントローラから送信された画像（フルカラーの動画またはフルカラーの静止画）（音声は、スピーカーから出力される）をスクリーン１４の繰り出し部分１８に位置する第４および第５ＬＥＤディスプレイ１６ｄ，１６ｅに表示する。
【００７８】
スクリーン１４を繰り出す過程において、ローラーパイプから繰り出されたスクリーン１４の繰り出し部分１８に位置する第１〜第５ＬＥＤディスプレイ１６ａ〜１６ｅに順に画像が表示され、図６の状態においてスクリーン１４の全体（第１〜第５ＬＥＤディスプレイ１６ａ〜１６ｅ）に画像が表示される。第１〜第５ＬＥＤディスプレイ１６ａ〜１６ｅがスクリーン１４の一方の面２０と他方の面２１とに設置された場合、ロールスクリーン１０Ｃの両面に動画または静止画が表示される。この場合、ロールスクリーン１０Ｃ（スクリーン１４）の一方の面と他方の面とにおいて同一内容の各種の動画または各種の静止画が表示され、または、ロールスクリーン１０Ｃ（スクリーン１４）の一方の面と他方の面とにおいて異なる内容の各種の動画または各種の静止画が表示される。なお、ロールスクリーン１０Ｃ（スクリーン１４）の一方の面と他方の面とのいずれか一面のみの第１〜第５ＬＥＤディスプレイ１６ａ〜１６ｅに画像を表示することもできる。
【００７９】
図６の状態において、無線式ディスプレイリモコンの画像ＯＮ／ＯＦＦスイッチをＯＦＦにすることで、第１〜第５ＬＥＤディスプレイ１６ａ〜１６ｅに表示された画像が非表示になる。ＯＦＦにした無線式ディスプレイリモコンの画像ＯＮ／ＯＦＦスイッチを再びＯＮにすることで、第１〜第５ＬＥＤディスプレイ１６ａ〜１６ｅに画像が表示される。図６の状態では、画像表示信号がコントローラから電子制御モジュールに継続して送信され、第１〜第５ＬＥＤディスプレイ１６ａ〜１６ｅにおける画像表示が継続する。
【００８０】
第１〜第５ＬＥＤディスプレイ１６ａ〜１６ｅ（第１〜第５ＬＥＤディスプレイ１６ａ〜１６ｅの概念図）を表示したディスプレイ選択画面をタッチパネルまたはディスプレイに表示させ、無線式ディスプレイリモコンによってディスプレイ選択画面から第１〜第５ＬＥＤディスプレイ１６ａ〜１６ｅのいずれかを選択し、画像非表示ボタンをタップ（クリック）することで、第１〜第５ＬＥＤディスプレイ１６ａ〜１６ｅに画像を表示中において、第１〜第５ＬＥＤディスプレイ１６ａ〜１６ｅのうちの選択したいずれかのＬＥＤディスプレイに表示されている画像を非表示にすることができる。なお、画像表示ボタンをタップ（クリック）することで、非表示にしたＬＥＤディスプレイに画像を表示することができる。
【００８１】
図６の状態からスクリーン１４をローラーパイプ巻き取るには、無線式スクリーンリモコンのクローズボタンを押す。クローズボタンを押すと、モーターが起動し、ローラーパイプが回転してスクリーン１４が所定の昇降速度でローラーパイプに巻き取られ、スクリーン１４が縦方向上方へ移動する（上昇する）。スクリーン１４のローラーパイプへの巻き取りが開始されると、スクリーン１４の繰り出し信号と繰り出し割合信号（または繰り出し長さ信号）とを繰り出し検知センサがコントローラに送信（転送）する。
【００８２】
コントローラは、繰り出し信号によってローラーパイプから繰り出されているスクリーン１４の繰り出し部分１８とローラーパイプに巻き取られたスクリーン１４の巻き取り部分１９とを特定しつつ、スクリーン１４の繰り出し割合（または繰り出し長さ）が設定繰り出し割合（または設定繰り出し長さ）を超えているかを判断する。繰り出し検知センサから送信された繰り出し割合信号（または繰り出し長さ信号）が２５％以上（または１．０ｍ以上）である場合、コントローラは、繰り出し信号によってローラーパイプから繰り出されているスクリーン１４の繰り出し部分１８とローラーパイプに巻き取られたスクリーン１４の巻き取り部分１９とを特定するとともに、スクリーン１４が繰り出し十分（繰り出した状態）であると認識（判断）する。
【００８３】
コントローラは、スクリーン１４の繰り出しを十分と判断した場合、スクリーン１４の繰り出し部分１８に対する画像表示信号を電子制御モジュールに継続して送信するとともに、ローラーパイプに巻き取られたスクリーン１４の巻き取り部分１９に対する画像非表示信号を電子制御モジュールに送信する。電子制御モジュールは、スクリーン１４の繰り出し部分１８に位置するＬＥＤディスプレイ１６に対する画像の表示を継続し、スクリーン１４の巻き取り部分１９に位置するＬＥＤディスプレイ１６の画像を非表示にする。ロールスクリーン１０Ｃでは、ローラーパイプから繰り出されているスクリーン１４がローラーパイプに巻き取られた場合、巻き取られたスクリーン１４の巻き取り部分１９に位置するＬＥＤディスプレイの動画または静止画の表示が停止する。
【００８４】
繰り出し検知センサから送信された繰り出し割合信号（または繰り出し長さ信号）が設定繰り出し割合２５％（または設定繰り出し長さ１．０ｍ）未満になった場合、コントローラは、スクリーン１４が繰り出し不足（巻き取られた状態）であると認識（判断）し、電子制御モジュールに画像非表示信号を送信する。電子制御モジュールは、スクリーン１４の繰り出し部分１８および巻き取り部分１９に位置する第１〜第５ＬＥＤディスプレイ１６ａ〜１６ｅの画像を非表示にする。
【００８５】
ロールスクリーン１０Ｃは、図１のロールスクリーン１０Ａが有する効果に加え、以下の効果を有する。ロールスクリーン１０Ｃは、第１〜第５ＬＥＤディスプレイ１６ａ〜１６ｅがスクリーン１４の一面の所定の箇所に分散して部分的に設置されることで、動画または静止画をスクリーン１４の一面の所定の箇所に表示することができ、スクリーン１４の所定の箇所において各種情報を伝えることができるとともに、ロールスクリーン１０Ｃの所定の箇所を各種情報の伝達媒体として利用することができる。ロールスクリーン１０Ｃは、スクリーン１４に表示された動画または静止画によってロールスクリーン１０Ｃを部分的に装飾することができ、ロールスクリーン１０Ｃを設置した箇所を飾る装飾品やイルミネーションとして利用することができる。
【００８６】
ロールスクリーン１０Ｃは、複数の第１〜第５ＬＥＤディスプレイ１６ａ〜１６ｅがスクリーン１４の一面に分散して部分的に設置されている場合、第１〜第５ＬＥＤディスプレイ１６ａ〜１６ｅにおいて異なる内容の各種の動画または各種の静止画を表示することができ、ロールスクリーン１０Ｃを各種情報の伝達媒体として利用することができるとともに、スクリーン１４に部分的に設置された第１〜第５ＬＥＤディスプレイ１６ａ〜１６ｅに表示された各種の動画または各種の静止画によってロールスクリーン１０Ｃを部分的に装飾することができる。
【００８７】
図８は、他の一例として示すロールスクリーン１０Ｄの斜視図であり、図９は、ロールスクリーン１０Ｄの側面図である。図１０は、ロールスクリーン１０Ｄの第１および第２スクリーン１４ａ，１４ｂの部分拡大端面図（部分拡大切断面図）である。図８は、第１スクリーン１４ａを部分的に繰り出し、第２スクリーン１４ｂを１００％（全部）繰り出した状態で示す。図８では、縦方向を矢印Ａで示し、横方向を矢印Ｂで示す。
【００８８】
図８のロールスクリーン１０Ｄが図１のそれと異なるところは、スクリーン１４が第１スクリーン１４ａと第２スクリーン１４ｂとから形成されている点、第１および第２スクリーン１４ａ，１４ｂにＬＥＤディスプレイ１６が設置されている点、ロールスクリーン１０Ｄがプルコード式である点にあり、その他の構成は図１のロールスクリーン１０Ａのそれらと同一であるから、図１と同一の符号を付すとともに、図１の説明を援用することで、このロールスクリーン１０Ｄのその他の構成の詳細な説明は省略する。
【００８９】
ロールスクリーン１０Ｄは、取付ブラケット１１およびサイドブラケット１２を備えた設置フレーム２７（セットバー）と、設置フレーム２７に回転可能に取り付けられた第１および第２ローラーパイプ２８ａ，２８ｂ（巻き取りパイプ）と、第１ローラーパイプ２８ａに繰り出し可能および巻き取り可能に設置された縦方向へ長い第１スクリーン１４ａと、第２ローラーパイプ２８ｂに繰り出し可能および巻き取り可能に設置された縦方向へ長い第２スクリーン１４ｂと、第１および第２スクリーン１４ａ，１４ｂの下端部に取り付けられたウエイトバー１５（アルミバー）と、第１スクリーン１４ａの下端部中央に取り付けられた第１プルコード２９ａと、第２スクリーン１４ｂの下端部中央に取り付けられた第２プルコード２９ｂと、第１プルコード２９ａの下端に取り付けられた第１プル３０ａと、第２プルコード２９ｂの下端に取り付けられた第２プル３０ｂとから形成されている。ロールスクリーン１０Ｄは、第１および第２スクリーン１４ａ，１４ｂに取り付けられた高輝度第１および第２ＬＥＤディスプレイ１６ａ，１６ｂ（自発光型ディスプレイ）を有する。ロールスクリーン１０Ｄの設置フレーム２７の内部には、それらＬＥＤディスプレイ１６ａ，１６ｂを制御するコントローラ（図示せず）が収容されている。
【００９０】
ロールスクリーン１０Ｄでは、第１プル３０ａを摘持して第１プルコード２９ａを下方へ引き下げることで第１ローラーパイプ２８ａから第１スクリーン１４ａを繰り出すことができ、第２プル３０ｂを摘持して第２プルコード２９ｂを下方へ引き下げることで第２ローラーパイプ２８ｂから第２スクリーン１４ｂを繰り出すことができる。繰り出した第１および第２スクリーン１４ａ，１４ｂを第１および第２ローラーパイプ２８ａ，２８ｂに巻き取らせるには、第１および第２プルコード２９ａ，２９ｂを一度引き下げてロックを外し、バネの力によって第１および第２スクリーン１４ａ，１４ｂを第１および第２ローラーパイプ２８ａ，２８ｂに自動的に巻き取らせる。
【００９１】
第１および第２スクリーン１４ａ，１４ｂは、図１のロールスクリーン１０Ａのそれと同一である。コントローラの記憶デバイスには、あらかじめ作成された各種複数の画像が格納（記憶）されている。高輝度第１および第２ＬＥＤディスプレイ１６ａ，１６ｂは、所定面積のフレキシブル基板２２と、フレキシブル基板２２に設置（マウント）された複数のＬＥＤ素子２３（ＬＥＤチップ）と、電子制御モジュール（図示せず）とから形成されている。フレキシブル基板２２の他方の面２５には、フレキシブル基板２２（第１および第２スクリーン１４ａ，１４ｂ）と略同形同大の透明な紫外線遮蔽保護フィルム２６が取り付けられている。
【００９２】
フレキシブル基板２２やＬＥＤ素子２３、電子制御モジュール、紫外線遮蔽保護フィルム２６は、図１のロールスクリーン１０Ａのそれらと同一である。第１ＬＥＤディスプレイ１６ａを形成するフレキシブル基板２２は、その一方の面２４が所定の接合手段（接着剤や接着テープ、縫製等）（図示せず）によって第１スクリーン１４ａの他方の面２１（一面）に固定（接合）されている。第２ＬＥＤディスプレイ１６ｂを形成するフレキシブル基板２２は、その他方の面２５が所定の接合手段（接着剤や接着テープ、縫製等）（図示せず）によって第２スクリーン１４ｂの一方の面２０（一面）に固定（接合）されている。
【００９３】
ロールスクリーン１０Ｄでは、第１ＬＥＤディスプレイ１６ａを形成するフレキシブル基板２２の他方の面２５が第１スクリーン１４ａの一方の面２０（一面）に固定（接合）されていてもよく、第２ＬＥＤディスプレイ１６ｂを形成するフレキシブル基板２２の一方の面２４が第２スクリーン１６ｂの他方の面２１（一面）に固定（接合）されていてもよい。また、第１ＬＥＤディスプレイ１６ａを形成するフレキシブル基板２２の一方の面２４が第１スクリーン１４ａの他方の面２１（一面）に固定（接合）され、第１ＬＥＤディスプレイ１６ａを形成するフレキシブル基板２２の他方の面２５が第１スクリーン１４ａの一方の面２０（一面）に固定（接合）されているとともに、第２ＬＥＤディスプレイ１６ｂを形成するフレキシブル基板２２の他方の面２５が第２スクリーン１４ｂの一方の面２０（一面）に固定（接合）され、第２ＬＥＤディスプレイ１６ｂを形成するフレキシブル基板２２の一方の面２４が第２スクリーン１４ｂの他方の面２１（一面）に固定（接合）されていてもよい。
【００９４】
ロールスクリーン１０Ｄの第１および第２スクリーン１４ａ，１４ｂに所定の画像を表示するには、第１プル３０ａを摘持して第１プルコード２９ａを下方へ引き下げ、第１ローラーパイプ２８ａから第１スクリーン１４ａを繰り出し、第２プル３０ｂを摘持して第２プルコード２９ｂを下方へ引き下げ、第２ローラーパイプ２８ｂから第２スクリーン１４ｂを繰り出す。次に、無線式ディスプレイリモコンの画像ＯＮ／ＯＦＦスイッチをＯＮにする。画像ＯＮ／ＯＦＦスイッチをＯＮにすると、各種複数の画像を表示した画像選択画面がタッチパネルまたはディスプレイに表示される。無線式ディスプレイリモコンによって第１および第２ＬＥＤディスプレイ１４ａ，１４ｂに表示する画像を選択するには、無線式ディスプレイリモコンのタッチパネルまたはディスプレイに表示された各種複数の画像を選択しつつ、タッチパネルまたはディスプレイに表示された第１および第２スクリーン１４ａ，１４ｂの画像（繰り出された状態の第１および第２スクリーン１４ａ，１４ｂの概念図）に表示された第１および第２ＬＥＤディスプレイ１４ａ，１４ｂの画像（第１および第２ＬＥＤディスプレイ１４ａ，１４ｂの概念図）に、選択した画像を嵌め込み（配置し）、画像表示ボタンをタップ（クリック）する。
【００９５】
画像表示ボタンをタップ（クリック）すると、画像表示ＯＫメッセージがタッチパネルまたはディスプレイに表示されるとともに、コントローラの記憶デバイスに格納された画像（選択された画像）および第１および第２スクリーン１４ａ，１４ｂの繰り出し部分１８に対する画像表示信号がコントローラから電子制御モジュールに送信される。電子制御モジュールは、コントローラから送信された画像（フルカラーの動画またはフルカラーの静止画）（音声は、スピーカーから出力される）を第１スクリーン１４ａの第１ＬＥＤディスプレイ１６ａに表示するとともに、第２スクリーン１４ｂの第２ＬＥＤディスプレイ１６ｂに表示する。無線式ディスプレイリモコンの画像ＯＮ／ＯＦＦスイッチをＯＦＦにすることで、第１および第２ＬＥＤディスプレイ１６ａ，１６ｂに表示された画像が非表示になる。ＯＦＦにした無線式ディスプレイリモコンの画像ＯＮ／ＯＦＦスイッチを再びＯＮにすることで、第１および第２ＬＥＤディスプレイ１６ａ，１６ｂに画像が表示される。
【００９６】
繰り出した第１および第２スクリーン１４ａ，１４ｂを第１および第２ローラーパイプ２８ａ，２８ｂに巻き取るには、無線式ディスプレイリモコンの画像ＯＮ／ＯＦＦスイッチをＯＦＦにして第１および第２ＬＥＤディスプレイ１６ａ，１６ｂの画像を非表示にし、第１プルコード２９ａを一度引き下げてロックを外し、バネの力によって第１スクリーン１４ａを第１ローラーパイプ２８ａに自動的に巻き取らせ、第２プルコード２９ｂを一度引き下げてロックを外し、バネの力によって第２スクリーン１４ｂを第２ローラーパイプ２８ｂに自動的に巻き取らせる。
【００９７】
ロールスクリーン１０Ｄは、第１および第２ＬＥＤディスプレイ１６ａ，１６ｂのＬＥＤ素子２３を利用して第１および第２スクリーン１４ａ，１４ｂの一方の面と他方の面とのうちの少なくとも一面に所定の画像を動画または静止画として表示するから、ロールスクリーン１０Ｄを任意の場所に設置した状態で所定の画像を動画または静止画として第１および第２スクリーン１４ａ，１４ｂの片面または両面に表示することができ、任意の場所に設置したロールスクリーン１０Ｄを利用して所定の動画または静止画を見せることができる。ロールスクリーン１０Ｄは、所定の画像を動画または静止画として第１および第２スクリーン１４ａ，１４ｂの一方の面と他方の面とのうちの少なくとも一面に表示することで、ロールスクリーン１０Ｄを利用して各種情報を伝えることができ、ロールスクリーン１０Ｄを各種情報の伝達媒体として利用することができる。
【００９８】
ロールスクリーン１０Ｄは、第１および第２スクリーン１４ａ，１４ｂの一方の面と他方の面とのうちの少なくとも一面に各種の異なる動画または静止画を表示することで、その動画または静止画によってロールスクリーン１０Ｄを装飾することができ、ロールスクリーン１０Ｄを設置した箇所を飾る装飾品やイルミネーションとして利用することができる。ロールスクリーン１０Ｄは、第１および第２ＬＥＤディスプレイ１６ａ，１６ｂが第１および第２スクリーン１４ａ，１４ｂの一方の面２０と他方の面２１とに設置された場合、ロールスクリーン１０Ｄの第１および第２スクリーン１４ａ，１４ｂの両面に動画または静止画を表示することができるのみならず、ロールスクリーン１０Ｄの第１および第２スクリーン１４ａ，１４ｂの一方の面２０と他方の面２１とにおいて異なる内容の各種の動画または各種の静止画を表示することができ、任意の場所に設置したロールスクリーン１０Ｄを利用して異なる内容の各種の動画または各種の静止画を見せることができる。
【００９９】
図１や図４、図６のロールスクリーン１０Ａ〜１０Ｃは、電動式であるが、プルを摘持してプルコードを下方へ引き下げることでローラーパイプからスクリーン１４が繰り出され、プルコードを一度引き下げてロックを外し、スクリーン１４をローラーパイプに自動的に巻き取らせるプルコード式であってもよく、環状のチェーンを回すことによってローラーパイプからスクリーン１４を繰り出し、または、スクリーン１４をローラーパイプに巻き取るチェーン式であってもよい。
【０１００】
図８のロールスクリーン１０Ｄは、プルコード式であるが、環状のチェーンを回すことによってローラーパイプ２８ａ，２８ｂからスクリーン１４ａ，１４ｂを繰り出し、または、スクリーン１４ａ，１４ｂをローラーパイプ２８ａ，２８ｂに巻き取るチェーン式であってもよい。また、図１や図４、図６のロールスクリーン１０Ａ〜１０Ｃと同様に、ロールスクリーン１０Ｄが電動式であってもよい。この場合、スクリーン１４ａ，１４ｂの繰り出し割合（または繰り出し長さ）と設定繰り出し割合（または設定繰り出し長さ）とを比較し、繰り出し割合信号（または繰り出し長さ信号）が設定繰り出し割合（または設定繰り出し長さ）を超えた場合、第１および第２ＬＥＤディスプレイ１６ａ，１６ｂに画像を表示する。さらに、第１および第２ローラーパイプ２８ａ，２８ｂから繰り出された第１および第２スクリーン１４ａ，１４ｂに位置する第１および第２ＬＥＤディスプレイ１６ａ，１６ｂのみに動画または静止画を表示し、第１および第２スクリーン１４ａ，１４ｂが第１および第２ローラーパイプ２８ａ，２８ｂに巻き取られた場合、巻き取られた第１および第２スクリーン１４ａ，１４ｂにおける動画または静止画の表示を停止させる。
【０１０１】
図８のロールスクリーン１０Ｄは、図４のロールスクリーン１０Ｂと同様に、複数の第１〜第ｎＬＥＤディスプレイが縦方向または横方向へ並んだ状態で第１および第２スクリーン１４ａ，１４ｂの一面に設置されていてもよい。図８のロールスクリーン１０Ｄは、図６のロールスクリーン１０Ｃと同様に第１〜第ｎＬＥＤディスプレイが第１および第２スクリーン１４ａ，１４ｂの一面の任意の箇所に分散して第１および第２スクリーン１４ａ，１４ｂの一面に部分的に設置されていてもよい。
【符号の説明】
【０１０２】
１０Ａ  ロールスクリーン
１０Ｂ  ロールスクリーン
１０Ｃ  ロールスクリーン
１０Ｄ  ロールスクリーン
１１    取付ブラケット
１２    サイドブラケット
１３    設置ユニット
１４    スクリーン
１４ａ  第１スクリーン
１４ｂ  第２スクリーン
１５    ウエイトバー
１６    高輝度ＬＥＤディスプレイ（自発光型ディスプレイ）
１６ａ  第１ＬＥＤディスプレイ
１６ｂ  第２ＬＥＤディスプレイ
１６ｃ  第３ＬＥＤディスプレイ
１６ｄ  第４ＬＥＤディスプレイ
１６ｅ  第５ＬＥＤディスプレイ
１７    電源コード
１８    繰り出し部分
１９    巻き取り部分
２０    一方の面
２１    他方の面
２２    フレキシブル基板
２３    ＬＥＤ素子（ＬＥＤチップ）
２４    一方の面
２５    他方の面
２６    紫外線遮蔽保護フィルム
２７    設置フレーム
２８ａ  第１ローラーパイプ
２８ｂ  第２ローラーパイプ
２９ａ  第１プルコード
２９ｂ  第２ルコード
３０ａ  第１プル
３０ｂ  第２プル
【図１】
2018168611.tif 000003
【図２】
2018168611.tif 000004
【図３】
2018168611.tif 000005
【図４】
2018168611.tif 000006
【図５】
2018168611.tif 000007
【図６】
2018168611.tif 000008
【図７】
2018168611.tif 000009
【図８】
2018168611.tif 000010
【図９】
2018168611.tif 000011
【図１０】
2018168611.tif 000012